(57)【要約】【課題】小型機材で改良基礎  「沈下基礎改良構造体」  の施工を可能として、隣接家屋間の作業空間の少ない箇所での施工を可能とするとともに、補修コストの低減。【解決手段】建造物(家屋)基礎の下方または近傍にソイル支持杭を形成し、ソイル支持杭の上端部に鋼材ブラケットを固定し、建造物(家屋)基礎と鋼材ブラケットとの間隔を所定距離とする揚げ前施工することを特徴とする不等沈下基盤改良工法。建造物(家屋)基礎の下方または近傍に形成されたソイル支持杭と、ソイル支持杭の上端部に固定した鋼材ブラケットと、建造物(家屋)基礎と鋼材ブラケットとの間に介装したスペーサと、建造物(家屋)基礎と鋼材ブラケットとの間の空間に対する保護コンクリートとより構成する沈下基礎改良構造体【選択図】    図１Ａ
2005180015.tif 000002
【特許請求の範囲】
【請求項１】
建造物基礎の下方または近傍に、ハンドジェツトオーガーによる堀削で削孔を形成し、該削孔に支持剛を投下し、セメントとオーガー削土とによるコンクリートを支持剛の周囲に形成して、ソイル支持杭を完成する第１作業工程と：
第１作業工程によるソイル支持杭の上端部に、鋼材ブラケットを固定する第２作業工程と:
前記建造物基礎と鋼材ブラケットとの間隔を所定距離とする揚げ前施工する第3作業工程と、：
前記建造物基礎と鋼材ブラケットとの間の空間に対する保護コンクリートを形成する保護コン施工の第4作業工程と：
を有することを特徴とする不等沈下基盤改良工法。
【請求項２】
建造物基礎の下方または近傍に、ハンドジェツトオーガーによる堀削で削孔を形成し、該削孔に支持剛を投下し、セメントとオーガー削土とによるコンクリートを支持剛の周囲に形成して、ソイル支持杭を完成する第１作業工程と：
第１作業工程によるソイル支持杭の上端部に、鋼材ブラケットを固定する第２作業工程と:
前記建造物基礎と鋼材ブラケットとの間隔を所定距離とする揚げ前施工する第3作業工程と、：
前記建造物基礎と鋼材ブラケットとの間の空間に対する保護コンクリートを形成する保護コン施工の第4作業工程と：
を有する不等沈下基盤改良工法により、複数箇所の建造物基礎についての、基礎揚げ前施工ののち、
複数箇所の建造物基礎間の連結基礎の下方に生じた間隙に対し、間詰材を注入する間詰材注入工程を有することを特徴とする不等沈下基盤改良工法。
【請求項３】
建造物基礎の下方または近傍に形成されたソイル支持杭と、ソイル支持杭の上端部に固定した鋼材ブラケットと、基礎と鋼材ブラケットとの間に介装したスペーサと、基礎と鋼材ブラケットとの間の空間に対する保護コンクリートとより構成する沈下基礎改良構造体。
【請求項４】
前記ソイル支持杭は、ハンドジェツトオーガーによる堀削で形成した削孔に支持剛を投下し支持剛の周囲を保護コンクリートで包囲して構成することを特徴とする請求項３に記載する沈下基礎改良構造体。
【請求項５】
前記鋼材ブラケットの下方に、芯材とセメントトを含む反力盤を形成したことを特徴とする請求項３に記載する沈下基礎改良構造体。
【発明の詳細な説明】
【技術分野】
【０００１】
本願発明は、地震その他の災害による家屋傾斜に対する補修、地震等の災害対策としての地盤強化に関するものである。
より詳しくは、不等沈下した建造物(家屋)基礎を改良して建造物(家屋)を水平支持するための、不等沈下基盤改良工法および不等沈下基礎改良構造体に関するものである。    
【背景技術】
【０００２】
この種の不等沈下基盤改良工法に関し、不等沈下した構造物の持上げ工法として、特開平１０―１８３６６１号公開公報が公知である。該公知技術は、建造物基礎の側面にブラケットを固定し、ブラケットの下方に鋼管杭を打設し、ブラケットと鋼管杭との間に油圧ジャツキを介在させて、施工を行っている。
【０００３】
【特許文献１】特開平１０―１８３６６１号公開公報
【発明の開示】
【発明が解決しようとする課題】
【０００４】
前記の公知技術は、建造物基礎の側面にブラケットを固定するものであることにより、隣接建造物との間に作業空間の少ない箇所では施工が不可能である。また、大型土木機械を搬入して作業を行う必要があり、補修コストが嵩む問題点がある。
よって、本願発明は、小型機材で改良基礎  「不等沈下基礎改良構造体」  の施工を可能として、隣接家屋間の作業空間の少ない箇所での施工を可能とするとともに、補修コストの低減を課題とする。
【課題を解決するための手段】
【０００５】
本願第１発明は、
建造物(家屋)基礎の下方または近傍に、ハンドジェツトオーガーによる堀削で削孔を形成し、該削孔に支持剛を投下し、セメントとオーガー削土とによるコンクリートを支持剛の周囲に形成して、ソイル支持杭を完成する第１作業工程と：
第１作業工程によるソイル支持杭の上端部に、鋼材ブラケットを固定する第２作業工程と:
建造物(家屋)基礎と鋼材ブラケットとの間隔を所定距離とする揚げ前施工する第3作業工程と、：
建造物(家屋)基礎と鋼材ブラケットとの間の空間に対する保護コンクリートを形成する保護コン施工の第4作業工程と：
を有することを特徴とする不等沈下基盤改良工法を提供する。
【０００６】
本願第２発明は、第１発明による複数箇所の建造物(家屋)基礎についての、揚げ前施工ののち、複数箇所の建造物(家屋)基礎間の連結基礎の下方に生じた間隙に対し、間詰材注入施工することを特徴とする不等沈下基盤改良工法を提供する。
【０００７】
本願第3発明は、  建造物(家屋)基礎の下方または近傍に形成されたソイル支持杭と、ソイル支持杭の上端部に固定した鋼材ブラケットと、建造物(家屋)基礎と鋼材ブラケットとの間に介装したスペーサと、建造物(家屋)基礎と鋼材ブラケットとの間の空間に対する保護コンクリートとより構成する不等沈下基礎改良構造体を提供する。
【発明の効果】
【０００８】
本願発明は、建造物(家屋)基礎の下方または近傍に、ハンドジェツトオーガーによる堀削で削孔を形成してソイル支持杭を完成するものであるから、大型土木機械を使用する必要がなく、且つ、建造物の隣接側方に確保する作業空間を少なくできて、隣接建造物が接近している市街地においても施工が可能である。建造物基礎の下方に支持基礎（ソイル支持杭＋鋼材ブラケット）を形成するものであるから、強固な支持地盤を形成することができる。施工工程が簡素化されることで、不等沈下基盤改良のコストを低減できる等の効果を有する。
【発明を実施するための最良の形態】
【０００９】
本願第１発明は、
第１作業工程[ソイル支持杭の形成]: 建造物(家屋)基礎［家屋支持ポイント(支柱)の基礎］の近傍に、ハンドジェツトオーガーにより削孔を行い、形成された削孔に支持剛としてＨ杭を投下し、セメントとオーガー削土とによるコンクリートをＨ杭の周囲に形成して、ソイル支持杭を完成する。
第２作業工程[鋼材ブラケットの取付]:第１作業工程によるソイル支持杭の上端部に鋼材ブラケットを溶接により固定する。
第3業工程[揚げ前施工]: 建造物(家屋)基礎と鋼材ブラケットとの間に油圧ジャツキの取付け、油圧ジャツキの操作により所定寸法の揚げ前［建造物(家屋)基礎と鋼材ブラケットと間隔を所定距離とする］を達成する。建造物(家屋)基礎と鋼材ブラケットとの間にスペーサ材を固定する。油圧ジャツキを撤去する。
第4作業工程[保護コン施工]:Ｈ杭（基礎杭）および鋼材ブラケットの保護コンクリートを施工する。
【００１０】
本願第２発明は、第１発明を複数箇所の建造物(家屋)基礎に順次揚げ前施工することにより、家屋の水平度を改善したのち、基礎間の連結基礎の下方に生じた間隙に、間詰材を注入施工する。
【００１１】
本願第3発明は、  建造物(家屋)基礎の下方または近傍に形成されたソイル支持杭と、ソイル支持杭の上端部に固定した鋼材ブラケットと、鋼材ブラケットの下方および周囲に形成された反力盤と、建造物(家屋)基礎と鋼材ブラケットとの間に介装したスペーサと、建造物(家屋)基礎と鋼材ブラケットとの間の空間に対する保護コンクリートとより沈下基礎改良構造体を構成する。反力盤は、150番メッシュの鉄筋と生コンとよりなるコンクリートで構成する。
【実施例】
【００１２】
以下、  図面に示す実施例にもとづいて、本願発明を詳細に説明する。
図１Ａ、図1Ｂ、図1Ｃは、本願発明による不等沈下基礎改良構造体Ａを示す。
1は、建造物(家屋)基礎で、建造物(家屋)の支持ポイント(例えば、家屋の通し立柱10の支持箇所)の基礎部分である。２はソイル支持杭、３はソイル支持杭２の上端部に固定した鋼材ブラケット、４は建造物(家屋)基礎１と鋼材ブラケット３との間に介装したスペーサ、５は建造物(家屋)基礎と鋼材ブラケットとの間の空間に対する保護コンクリート、７は鋼材プラケット３下方の反力盤である。
【００１３】
ソイル支持杭２は、ハンドジェツトオーガーによる堀削で形成した削孔２０に支持剛(Ｈ鋼材)２１を投下し支持剛２１の周囲を保護コンクリート２２で包囲して構成する。
【００１４】
ソイル支持杭２は、上記の実施例においては、垂直方向としたが、図２の実施例においては傾斜方向とする。いずれも建造物(家屋)基礎の下方または近傍に形成して、ソイル支持杭２の上端部に固定した形成する鋼材ブラケット３を、建造物(家屋)基礎１の下方に位置させ、ジャッキ６を挿入するに十分な空間を確保する。
【００１５】
図３を参照して、不等沈下建造物(家屋)の沈下方向をイ方向とする場合の沈下基礎改良箇所を示し、家屋支持ポイントＰ1の建造物(家屋)基礎１の沈下補正高さを最大とし、ロ方向およびハ方向へ順次沈下補正高さを縮小する[例えば、家屋支持ポイントＰ11の建造物(家屋)基礎１および家屋支持ポイントＰ21の建造物(家屋)基礎１の沈下補正高さを中間とし、家屋支持ポイントＰ12の建造物(家屋)基礎１および家屋支持ポイントＰ22の建造物(家屋)基礎１の沈下補正高さを最小とする]。
【００１６】
家屋支持ポイントＰ1の建造物(家屋)基礎１、家屋支持ポイントＰ11の建造物(家屋)基礎１、家屋支持ポイントＰ21の建造物(家屋)基礎１、家屋支持ポイントＰ12の建造物(家屋)基礎１および家屋支持ポイントＰ22の建造物(家屋)基礎１は、連結基礎1Aを介して互いに一体化されている。
【００１７】
つぎに、図４Ａ、図４Ｂ、図４Ｃ、図４Ｄ、図４Ｅ、図４Ｆ、図５、図６を参照して、本願発明による不等沈下基盤改良工法を説明する。
【００１８】
準備作業
家屋支持ポイントの支柱基礎１の下方および近傍の所定範囲Ｂを堀削して沈下基礎改良構造体Ａを収容する空間を形成する。図1の実施例の沈下基礎改良構造体Ａの場合には、建造物(家屋)基礎1の底面側部(フーチン)11の一部を切除する。
【００１９】
第１作業工程:図４Ａ、図４Ｂ参照
家屋支持ポイントの建造物(家屋)基礎１の下方または近傍に、ハンドジェツトオーガーにより堀削で削孔22を形成し、該削孔22に支持剛(Ｈ鋼材)２１を投下し、セメントとオーガー削土とによるコンクリート23を支持剛の周囲に形成して、ソイル支持杭２を完成する。なお、ソイル支持杭２の杭長は、地山までの深度に設定する。
【００２０】
第２作業工程:図４Ｃ参照、
第１作業工程によるソイル支持杭２の上端部に、鋼材ブラケット３を溶接wにより固定する。鋼材ブラケット３の周囲に１５０番のメッシュ筋を配置し生コンクリートを打設して、補強コンクリートを形成して、反力盤７を構成して、油圧ジャッキの稼動時の反力の拡大を図る。
【００２１】
第３作業工程:図４Ｄ参照、
第２作業工程による鋼材ブラケット３と建造物(家屋)基礎１との間に形成された空間にジャッキ６を挿入し、ジャッキ６を操作して、家屋支持修正ポイント（例えば、図３においてP1）の建造物(家屋)基礎1と鋼材ブラケット３と間隔を所定距離とし、
【００２２】
図４Ｅ参照
鋼材ブラケット３と建造物(家屋)基礎１との間に形成された空間にスペーサ４を装着し、スペーサ４の下部を鋼材ブラケット３に溶着固定して「揚げ前施工」を完成する。
【００２３】
第４作業工程:図４Ｆ参照、保護コン施工：
建造物(家屋)基礎1と鋼材ブラケット３との間およびその周囲の空間に対する保護コンクリート５を施工する。
【００２４】
図５および図６を参照、間詰材注入施工：
本願第２発明は、第１発明による複数の家屋支持ポイントの建造物(家屋)基礎1の揚げ前施工ののち、複数の家屋支持ポイントの建造物(家屋)基礎1間の連結基礎1Aの下方に生じた間隙Qに対して、図６に示すごとく、間詰材注入機8により、間詰材を注入する。なお、図５において、１０Ａは建造物（家屋）の床面である。
【００２５】
家屋支持ポイントについて１回の揚げ前施工は約３ｍｍとし、最大揚げ前施工のポイントより順次揚げ前施工の少ないポイントに移動することで、全ての支柱基礎対して所定の水平レベルが得られるまで、揚げ前施工の回数を重ねる。
【産業上の利用可能性】
【００２６】
本願発明は、不等沈下した建造物(家屋)基礎を改良して、建造物(家屋)を水平支持するに有効であり、地震その他の災害による家屋傾斜対策に利用可能であり、土木産業の発展に寄与するものである。
【図面の簡単な説明】
【００２７】
【図１Ａ】本願第３発明の第1実施例を示す不等沈下基礎改良構造体の正面図。
【図１Ｂ】同じく縦断面図。
【図１Ｃ】同じく平面図。
【図２】本願第３発明の第２実施例を示す不等沈下基礎改良構造体の正面図。
【図３】構造物（家屋）基礎および連結基礎を示す平面図。
【図４Ａ】本願第１発明による不等沈下基礎改良工法を示し、第１作業工程における削孔を示し、ａ図は正面図、ｂ図は平面図。
【図４Ｂ】同じく、第１作業工程における支持剛(Ｈ鋼材)を示し、ａ図は正面図、ｂ図は平面図。
【図４Ｃ】同じく、第２作業工程[鋼材ブラケットの取付および反力盤７の形成]を示し、ａ図は正面図、ｂ図は平面図。
【図４Ｄ】同じく、第３作業工程におけるジャッキの装着を示し、ａ図は正面図、ｂ図は平面図。
【図４Ｅ】同じく、第３作業工程におけるスペーサの装着を示し、ａ図は正面図、ｂ図は平面図。
【図４Ｆ】同じく、第４作業工程［保護コン施工］を示し、ａ図は正面図、ｂ図は平面図。
【図５】本願第２発明による不等沈下基礎改良工法を説明する正面図。
【図６】間詰材注入施工を説明する正面図。
【符号の説明】
【００２８】
Ａ：不等沈下基礎改良構造体
１：建造物(家屋)基礎
２：ソイル支持杭
３：鋼材ブラケット
４：建造物(家屋)基礎
５：保護コンクリート
６：ジャッキ
７：反力盤
８：間詰材注入機
10：家屋の通し立柱
20：削孔２０
21：支持剛(Ｈ鋼材)２１
【図１Ａ】
2005180015.tif 000003
【図１Ｂ】
2005180015.tif 000004
【図１Ｃ】
2005180015.tif 000005
【図２】
2005180015.tif 000006
【図３】
2005180015.tif 000007
【図４Ａ】
2005180015.tif 000008
【図４Ｂ】
2005180015.tif 000009
【図４Ｃ】
2005180015.tif 000010
【図４Ｄ】
2005180015.tif 000011
【図４Ｅ】
2005180015.tif 000012
【図４Ｆ】
2005180015.tif 000013
【図５】
2005180015.tif 000014
【図６】
2005180015.tif 000015